(57)【特許請求の範囲】
【請求項１】
濾過室の濾材支持床を構成する多孔板と該多孔板に相対する前記濾過室の構成材との離開距離よりも所定量長い芯紐と、該芯紐の周側に突出させた濁質の捕捉材とで濾材を構成し、適宜数の該濾材を前記濾過室に収設し、該濾材の前記芯紐の一端を前記多孔板に、他の一端を前記構成材にそれぞれ止着した、濾過装置。
【請求項２】
芯紐の多孔板寄りに捕捉糸省略部を設けた、請求項１記載の濾過装置。
【請求項３】
構成材を上側多孔板で構成した請求項１または２記載の濾過装置。
【発明の詳細な説明】
【０００１】
【産業上の利用分野】
本発明は、用水、廃水その他の原水から濁質を捕捉するために用いる濾過装置に関するものである。
【０００２】
【従来の技術】
例えば、特許第２８０３０４１号公報に記載のように、濾過室の濾材支持床を構成する多孔板に一端を取付けて、原水の流れ方向に沿って屈曲変形可能な素材より成る、適宜数の濾材を前記濾過室に収設した構造のものがある。
【０００３】
【発明が解決しようとする課題】
前記従来例は、濾材の自由端側を上流側として濾過操作を行うものであるが、原水の上流側に自由端側を配しているため圧密がかかりやすく、このため濾層厚が小さく（薄くなる）ため濁質捕捉量が減少したり、また、圧密の必要以上の負荷により濾材に「クセ」がついてしまい逆洗時に原状態になりにくくなり、かつ、再度の濾過操作時に濾材同志がからみ易くなって、濁質が付着してしまい所謂みず通をつくり易いという欠点がある。
【０００４】
【課題を解決するための手段】
濾過室の濾材支持床を構成する多孔板と該多孔板に相対する前記濾過室の構成材との離開距離よりも所定量長い芯紐と、該芯紐の周側に突出させた濁質の捕捉材とで濾材を構成し、適宜数の該濾材を前記濾過室に収設し、該濾材の前記芯紐の一端を前記多孔板に、他の一端を前記構成材にそれぞれ止着したことを基本的手段とする。
【０００５】
なお、芯紐の多孔板寄りに捕捉糸省略部を設ける構成にすることにより逆洗時における濁質のかきとり操作を円滑に行い、構成材を上側多孔板で構成することにより濾過室への原水の注入を均一に行え、精度の良好な濾過操作を行うことができる。
【０００６】
【実施例】
図面は本発明に係る濾過装置の一実施例を示す略示断面図で、図中、１は濾過室で、濾過室１は、濾過槽１Ａの内壁１Ａ´と濾過槽１Ａ内に敷設した、濾材支持床を構成する多孔板２および該多孔板２に相対向させて前記濾過槽１Ａ内に装置した上側多孔板３で前記濾過槽１Ａ内を区画して構成する。
【０００７】
前記濾過槽１Ａは、上部側において注入口４と空気抜き５を、下部側において排出口６と洗浄用空気管７をそれぞれ備え、これらを前記濾過室１に連通させてある。
【０００８】
濾過室１には適宜数の濾材８，…を収設し、該濾材８，…によって原水の濾過操作を行うようにしてある。
【０００９】
濾材８は、原水の流れ方向（長手方向）に沿って屈曲変形可能な素材で成る芯紐８ａと該芯紐８ａの周側にいわば放射状に突設した無数の捕捉糸８ｂ，…とで構成し、芯紐８ａの下端部（図面上）を取付け手段９により前記多孔板２に止着する一方、芯紐８ａの上端を前記上側多孔板３に取付け手段９により止着し、前記の通り濾過室１に収設したものである。
【００１０】
芯紐８ａは、ポリエステル繊維より成る径がほぼ４ｍｍの撚り糸を用い、捕捉糸８ｂは、糸径８８μｍのポリエステル繊維で構成してあるが、素材としては、ナイロン、ポリ塩化ビニルデンその他の樹脂繊維或いは植物繊維を用いることができ、糸径は実施例に限定する必要がないことは勿論である。
【００１１】
実施例のものは、芯紐８ａと捕捉糸８ｂ，…より成る濾材８を形成しておき、該濾材８の芯紐８ａに該芯紐８ａと同素材、同径の芯紐部８ａ´を締結接着などの適宜の接続手段で接続し、該芯紐部８ａ´の自由端側を前記の通り上側多孔板３に止着したものであるが、捕捉糸８ｂを省略したこの芯紐部８ａ´は接続追加せずに芯紐８ａに一体に設けて当該部分を捕捉糸８ｂを省略するように形成しても良い。
【００１２】
実施例は、この捕捉糸８ｂを省略した芯紐部８ａ´の長さを調節することにより濾過操作時における濾材８すなわち捕捉糸８ｂ，…の圧密状態を調整できる。
【００１３】
もっとも芯紐部８ａ´に捕捉糸８ｂを設けてあっても必ずしも不都合はない。
【００１４】
なお、多孔板２寄りの芯紐部分を捕捉糸を省略すると、多孔板２寄りの捕捉糸の洗浄性（逆洗時における）が良好になる。
【００１５】
しかして、注入口４を通じて原水（未処理水）を圧入すると、原水は濾材８を通過して排出口６を通じて処理水として回収されるのであるが、この濾過操作時（原水処理時）に、濾材８の捕捉糸８ｂ，…は処理水により圧密になろうとするが、該捕捉糸８ｂを支持する芯紐８ａの一端が上側多孔板３に止着されているため予め設定した以上の圧密にならずに当該濾過操作は順調に行われる。
【００１６】
また、排出口６側から逆洗水を圧入すると、屈曲変形していた芯紐８ａは逆洗水の流れ方向に多孔板２側部が伸展し、捕捉糸８ｂで捕捉した濁質は逆洗水によりかき取られ、逆洗操作が行われる。
【００１７】
なお、実施例における捕捉糸８ｂ，…は逆洗時にあっても該捕捉糸８ｂを省略した芯紐部８ａ´の存在により上側多孔板３に接触しないようにしてあり、この結果、上側多孔板３側の捕捉糸８ｂの濁質も円滑にかき取られる。
【００１８】
また、実施例の濾材８は、芯紐８ａに捕捉糸８ｂの両端を取付けていわばループ状にして芯材８ａの周側に突設したものであるが、これは製作上の便宜さのためである。
【００１９】
前記芯紐８ａに球状や扁平の捕捉材や或いは芯紐８ａを芯材とする全体として線状の捕捉材を備えた濾材に適用しても良く、要は、両端を多孔板等に止着した紐体の周側に捕捉材を備え、濾材操作時に該捕捉材が圧密状態になるものに適用するに本発明は好適である。
【００２０】
従来の方式と本実施例に係る吊下げ方式との比較試験を下記の条件により行った、結果を示す。
【００２１】
【表１】
0003633858.tif 000002
【００２２】
逆洗条件
５時間のろ過継続時間が経過したとき、もしくは、差圧が０．０５ＭＰａを超えた場合に自動逆洗を行う。
（１）ろ過継続時間について
逆洗を繰り返すたびに従来方式では、ろ過継続時間が短くなり約１時間で差圧０．０５ＭＰａを超え逆洗となっている。これに対し、吊下げ方式では１００サイクルの連続運転でも３〜４時間のろ過継続時間を保ち、吊下げ方式による差圧の抑制が効果的であることが確認できる。
また、吊下げ方式・従来方式の処理水質は同等でほぼ１００％の濁度除去率であった。吊下げ方式による処理水質の悪化はない。
【００２３】
【表２】
0003633858.tif 000003
【００２４】
（２）洗浄性の向上について
▲１▼初期ろ層厚の変化
表３は逆洗終了後、ろ過開始直後のろ層厚（ろ層高）を示している。
従来方式では、約７５０ｍｍにまで下がってきているが、吊下げ方式では９００ｍｍ弱までの減少しかなく、洗浄効率は向上している。
【００２５】
【表３】
0003633858.tif 000004
【００２６】
▲２▼初期差圧の変化
表４は逆洗終了後、ろ過開始直後の差圧を示している。
従来方式では、初期差圧の上昇が激しいが、吊下げ方式では初期差圧の上昇は非常に緩慢である。ここでも洗浄効率は上がっていることがわかる。
【００２７】
【表４】
0003633858.tif 000005
【００２８】
【発明の効果】
本発明は前記の通りの構成であるから、多孔板と濾過室の構成材との離開距離に対して芯紐を適量長くすることにより、濾過操作時における捕捉材が必要以上の圧密状態になるのを防ぐことができ、従って、常に安定した状態で濾過操作を行え、捕捉材に圧密によるくせがつかないので逆洗も円滑に行うことができる。
【図面の簡単な説明】
【図１】略示断面図。
【符号の説明】
１      濾過室
２      多孔板
３      上側多孔板
８      濾材
８ａ    芯紐
８ｂ    捕捉糸
【図１】
0003633858.tif 000006